【事件の表示】
　特願２００７−　８６６６６「タッチパネル装置」拒絶査定不服審判事件〔平成２０年１０月　９日出願公開、特開２００８−２４３１２８〕について、次のとおり審決する。
【結　論】
　本件審判の請求は、成り立たない。
【理　由】
１．手続の経緯 
　 
　本願は、平成１９年　３月２９日付けの特許出願であって、 平成２０年１２月１９日付けで拒絶理由が通知され、これに対して平成２１年　２月２６日付けで手続補正書が提出されたが、同年　３月１８日付けで拒絶査定され、これに対して同年　４月２３日付けで拒絶査定不服審判の請求がなされたものである。 
　 
２．本願発明について 
　 
（１）本願の請求項１に係る発明 
　 
　本願の請求項１に係る発明（以下、「本願発明」という）は、平成２１年　２月２６日付け手続補正書によって補正された特許請求の範囲の請求項１に記載された事項により特定される次のとおりのものである。 
　 
「　複数の操作ボタンを含む操作画面を表示し、選択された操作ボタンをタッチパネルを用いて特定する操作手段を備えるタッチパネル装置において、
　前記複数の操作ボタンは、複数のグループに区分されており、
　前記操作画面では、何れかのグループに属する１又は複数の操作ボタンは、第１サイズで、その他のグループに属する１又は複数の操作ボタンは、前記第１サイズよりも小さい第２サイズで示されると共に、前記第２サイズで操作ボタンが示されたグループの各々について、ボタンサイズ変更エリアが示されており、
　前記操作手段は、選択された操作ボタンあるいは選択されたボタンサイズ変更エリアを特定し、選択された操作ボタンを特定した場合は、選択された操作ボタンに対応した動作に関する画面を表示するよう画面遷移し、選択されたボタンサイズ変更エリアを特定した場合は、前記選択されたボタンサイズ変更エリアに対応するグループに属する操作ボタンが、前記第１サイズで示されると共に、前記選択されたボタンサイズ変更エリアが選択される際に前記第１サイズで示されていた操作ボタンが、前記第２サイズで示されるように変更された前記操作画面を表示することを特徴とするタッチパネル装置。」 
　 
（２）引用文献の記載及び引用文献発明 
　 
（引用文献１の記載） 
　 
　原査定の拒絶の理由に引用された特開２００６−７２４８９号公報（以下、「引用文献１」という。）には、図面とともに以下の記載がある。 
　 
（１ａ）「【０００５】
  ＰＤＡの多くはタッチパネル付きの表示部を備えており、ユーザの指またはペンによってタッチされた表示画面上の位置を検知することができる。アプリケーションプログラムは、表示画面上に複数のボタンを表示する。表示画面上のあるボタンがユーザの指またはペンによってタッチされた場合、そのタッチされたボタンに対応する機能が実行される。したがって、ユーザは、ボタンをタッチするという直感的な操作のみで、アプリケーションプログラムを利用することができる。」
　
（１ｂ）「【００１３】
  図１には、本発明の一実施形態の係る情報処理装置の外観が示されている。この情報処理装置は携帯型情報処理装置であり、例えばＰＤＡ（Personal Digital Assistant）として実現されている。
【００１４】
  このＰＤＡ１０は、ペン入力をサポートする情報処理装置であり、ペン（スタイラス）やユーザの指によってタッチされた表示画面上の位置を検知可能に構成されている。このＰＤＡ１０は、薄い箱状の筐体を備えている。この筐体の上面上には、表示部１１、および操作キー群１２が配置されている。表示部１１は、ユーザによってタッチされた表示画面上の位置を検知するためのタブレットを備えている。操作キー群１２は各種データを入力する入力部である。この操作キー群１２は、表示部１１に表示されるメニューから目的の機能を選択および決定するための押しボタンスイッチ、および各種アプリケーションプログラムを起動するための押しボタンスイッチ等を含む。
【００１５】
  また、ＰＤＡ１０には、ＩＰ（Internet Protocol）電話アプリケーションプログラムがインストールされている。ＩＰ電話アプリケーションプログラムは、ＶｏＩＰ（Voice over Internet Protocol）技術を利用して、他の端末との間で音声通話等の通信を実行する機能を有している。ＰＤＡ１０の筐体上面の上部にはスピーカ１３が配置され、また筐体上面の下部にはマイクロフォン１４が配置されている。ユーザは、ＩＰ電話アプリケーションプログラムを利用することにより、本ＰＤＡ１０を携帯型電話機として使用することができる。
【００１６】
  図２は、本ＰＤＡ１０のシステム構成を示すブロック図である。本ＰＤＡ１０は、上述の表示部１１、操作キー群１２、スピーカ１３、およびマイクロフォン１４に加え、ＣＰＵ１２１、システムコントローラ１２２、グラフィクスコントローラ１２３、タブレットコントローラ１２４、Ｉ／Ｏコントローラ１２５、オーディオコントローラ１２６、無線ＬＡＮ１２７、不揮発性メモリ１２８、およびＲＡＭ１２９等を備えている。
【００１７】
  表示部１１は、タブレット１１０と、液晶ディスプレイ（ＬＣＤ）１１１とから構成されている。タブレット１１０は、例えば、ＬＣＤ１１１の表示画面上に配置された透明の座標検出装置から構成されている。このタブレット１１０は、上述したように、ユーザの指またはペンによってタッチされた表示画面上の位置（タッチ位置）を検知することができる。このタブレット１１０の働きにより、ＬＣＤ１１１の表示画面はいわゆるタッチスクリーンとして機能する。
【００１８】
  ＣＰＵ１２１は本ＰＤＡ１０の動作を制御するプロセッサであり、システムコントローラ１２２を介して本ＰＤＡ１０の各コンポーネントを制御する。ＣＰＵ１２１は、不揮発性メモリ１２８からＲＡＭ１２９にロードされる、オペレーティングシステム、ＩＰ電話アプリケーションプログラム１２９Ａを含む各種アプリケーションプログラムを実行する。ＲＡＭ１２９は、本ＰＤＡ１０のメインメモリとして機能する。オペレーティングシステムはペン入力機能をサポートしており、ユーザによってタッチされたＬＣＤ１１１の表示画面上の位置を示す座標情報をタブレットコントローラ１２４を介して取得することができる。
【００１９】
  システムコントローラ１２２には、不揮発性メモリ１２８およびＲＡＭ１２９をアクセス制御するメモリコントローラも内蔵されている。また、システムコントローラ１２２は、グラフィクスコントローラ１２３との通信を実行する機能も有している。
【００２０】
  グラフィクスコントローラ１２３は、本ＰＤＡ１０のディスプレイモニタとして使用されるＬＣＤ１１１を制御する表示コントローラである。タブレットコントローラ１２４は、タブレット１１０を制御し、ユーザによってタッチされたＬＣＤ１１１の表示画面上の位置を示す座標データをタブレット１１０から取得する。
【００２１】
  Ｉ／Ｏコントローラ１２５は、操作キー群１２それぞれを制御し、押下された操作キー群１２内の押しボタンスイッチに対応するイベント／データを入力する。オーディオコントローラ１２６は、再生すべき音声データに対応する音をスピーカ１３から出力する処理
、およびマイクロフォン１４から入力されたユーザの音声を音声データとして取り込む処理を実行する。無線ＬＡＮ１２７は、外部との無線通信を実行する無線通信デバイスである。ＩＰ電話は、無線ＬＡＮ１２７によって本ＰＤＡ１０を社内ＬＡＮに、またはインターネットのような外部ネットワークに接続することによって実行される。
【００２２】
  ＩＰ電話アプリケーションプログラム１２９Ａは、ＩＰ電話アプリケーションプログラム１２９Ａの起動が割り当てられた操作キー群１２内の所定の押しボタンスイッチが押下操作されたことに応答して、あるいは表示画面上に表示されるプログラムメニュー上からＩＰ電話アプリケーションプログラム１２９Ａに対応する項目が選択されることに応答して、起動される。起動されたＩＰ電話アプリケーションプログラム１２９Ａは、操作画面をグラフィクスコントローラ１２３を介してＬＣＤ１１１にＩＰ電話機能を利用するためのＧＵＩ（Graphical User Interface）として表示する。この操作画面は、以下のような複数のボタンを表示する。
【００２３】
（１）数字ボタン群：
  これら数字ボタンは、ＩＰ電話によって通信すべき通信相手先を指定する番号（電話番号）を入力するために用いられる。
【００２４】
（２）機能ボタン群：
  これら機能ボタン群は、ＩＰ電話のための付加機能および音声入出力に関する各種機能を制御するために用いられる。
【００２５】
  ＩＰ電話アプリケーションプログラム１２９Ａは、操作画面上に表示される数字ボタン群および機能ボタン群を含む複数のボタンを、幾つかのボタングループに分割し、各ボタングループ毎にそのボタングループに対応する属性（以下、プロパティと称する）を管理する機能を有している。各ボタングループは、操作画面上に定義された、当該ボタングループに対応する表示エリアに表示される。すなわち、操作画面は、複数のボタングループそれぞれに対応する複数の表示エリアを含む。
【００２６】
  次に、図３を参照して、ＩＰ電話アプリケーションプログラム１２９Ａの機能構成を説明する。
【００２７】
  図３に示されているように、ＩＰ電話アプリケーションプログラム１２９Ａは、イベント検出モジュール２０１、プロパティ管理モジュール２０２、および表示制御モジュール２０３を備えている。
【００２８】
  イベント検出モジュール２０１は、操作画面上のボタンまたは表示エリアがユーザの指またはペンによってタッチされたことを示すタッチイベントが発生したことを検出する。プロパティ管理モジュール２０２は、各ボタングループに割り当てられたプロパティを示すプロパティ管理情報を、プロパティ管理テーブルＴ１を用いて管理する。本実施形態では、以下の３種類のプロパティが使用される。
【００２９】
  （１）操作可能プロパティ；  操作可能プロパティは、当該操作可能プロパティが割り当てられたボタングループに属する各ボタンが有効、つまり操作可能であることを示す。操作可能プロパティが割り当てられたボタングループに属する各ボタンは、ユーザが指でタッチ操作可能な比較的大きなサイズ（第１のサイズ）で操作画面上に表示される。操作可能プロパティが割り当てられたボタングループ内のあるボタンがユーザの指またペンによってタッチされた時、そのボタンに対応する機能が実行される。
【００３０】
  （２）状態表示プロパティ；  状態表示プロパティは、当該状態表示プロパティが割り当てられたボタングループに属する各ボタンの操作は無効であるが、電話の着信等を示すステータス表示機能は有効であることを示す。状態表示プロパティが割り当てられたボタングループに属する各ボタンは、省スペースを図るために、ユーザが視認可能な程度の小さいサイズ、つまり第１のサイズよりも小さい第２のサイズ、で操作画面上に表示される。状態表示プロパティが割り当てられたボタングループ内のあるボタンがユーザの指またペンによってタッチされても、そのボタンに対応する機能は、基本的には、実行されない。なお、状態表示プロパティが割り当てられたボタングループに属するすべてのボタンを必ずしも表示する必要はなく、当該ボタングループに属する幾つかの代表的なボタンのみを第２のサイズで表示してもよい。」
　
（１ｃ）「【００４７】
  次に、ボタングループ１とボタングループ２との間でプロパティを相互に入れ替える動作について説明する。
【００４８】
  いま、図５に示すように、ボタングループ１に対応する第１の表示エリア３０上の任意の位置に対応する表示画面上の位置がユーザによってタッチされた場合を想定する。ボタングループ１に割り当てられているプロパティは状態表示プロパティであるので、第１の
表示エリア３０上に表示されるボタングループ１の各ボタンのサイズは小さい。このため、この状態においては、ボタングループ１内の目的のボタンをユーザが指で正しくタッチすることは困難である。本実施形態では、ボタングループ１に対応する第１の表示エリア３０内のいずれかの位置がユーザによってタッチされた時、操作画面を図４に示す画面から図６に示す画面に切り替える処理が自動的に実行される。
【００４９】
  すなわち、ボタングループ１に対応する第１の表示エリア３０上の任意の位置に対応する表示画面上の位置がユーザによってタッチされた時、プロパティ管理モジュール２０２は、ボタングループ１とボタングループ２との間でプロパティを相互に入れ替える。具体的には、プロパティ管理モジュール２０２は、ボタングループ１のプロパティを状態表示プロパティから操作可能プロパティに切り替えるとともに、ボタングループ２のプロパティを操作可能プロパティから状態表示プロパティに切り替える。」
　
（１ｄ）「【００７８】
  また、図５に示すように、ボタングループ１に対応する第１の表示エリア３０上のボタン群３０２のうち、例えば番号“５”のボタンに対応する表示画面上の位置がユーザによってタッチされた場合、第１の表示エリア３０を拡大表示すると共に、番号“５”が入力されるように構成してもよい。つまり、ボタングループ１の現在のプロパティが状態表示プロパティであっても、ボタングループ１のボタン機能を有効にしてもよい。この場合、表示エリア３０内の各ボタンのサイズが小さいことから、ユーザが入力したい目的のボタン以外のボタンが押される誤操作が起こる可能性がある。しかし、例えば操作キー群１２内の削除機能を有する機能ボタンの入力によって、入力された数字等の削除を行うことが出来る。同様に、ボタングループ２の現在のプロパティが状態表示プロパティである場合においても、ボタングループ２のボタン機能を有効にしてもよい。これにより、ユーザは、縮小表示されたスピーカオンボタン３０６をタッチするだけで、即座にオフフック操作を行うことが出来る。」
　
　上記全ての摘記事項によれば、引用文献１には、以下の構成が記載されているといえる。 
　
（ア）上記摘記事項（１ｂ）の「【００１４】
  このＰＤＡ１０は、ペン入力をサポートする情報処理装置であり、ペン（スタイラス）やユーザの指によってタッチされた表示画面上の位置を検知可能に構成されている。このＰＤＡ１０は、薄い箱状の筐体を備えている。この筐体の上面上には、表示部１１、および操作キー群１２が配置されている。表示部１１は、ユーザによってタッチされた表示画面上の位置を検知するためのタブレットを備えている。操作キー群１２は各種データを入力する入力部である。この操作キー群１２は、表示部１１に表示されるメニューから目的の機能を選択および決定するための押しボタンスイッチ、および各種アプリケーションプログラムを起動するための押しボタンスイッチ等を含む。」の記載によれば、当該「表示部」は、当該「操作キー群」を含む当該「表示画面」を表示し、当該「タッチ」された「操作キー」の「位置」を「検知可能」にする「タブレット」を備えるものと解することができる。
　
　そして、上記摘記事項（１ｂ）の「【００１７】
  表示部１１は、タブレット１１０と、液晶ディスプレイ（ＬＣＤ）１１１とから構成されている。タブレット１１０は、例えば、ＬＣＤ１１１の表示画面上に配置された透明の座標検出装置から構成されている。このタブレット１１０は、上述したように、ユーザの指またはペンによってタッチされた表示画面上の位置（タッチ位置）を検知することができる。このタブレット１１０の働きにより、ＬＣＤ１１１の表示画面はいわゆるタッチスクリーンとして機能する。」の記載によれば、上記「表示部」は、タッチスクリーンとして機能するものと解することができる。
　
　また、上記摘記事項（１ｂ）の「【００２２】
  ＩＰ電話アプリケーションプログラム１２９Ａは、ＩＰ電話アプリケーションプログラム１２９Ａの起動が割り当てられた操作キー群１２内の所定の押しボタンスイッチが押下操作されたことに応答して、あるいは表示画面上に表示されるプログラムメニュー上からＩＰ電話アプリケーションプログラム１２９Ａに対応する項目が選択されることに応答して、起動される。起動されたＩＰ電話アプリケーションプログラム１２９Ａは、操作画面をグラフィクスコントローラ１２３を介してＬＣＤ１１１にＩＰ電話機能を利用するためのＧＵＩ（Graphical User Interface）として表示する。この操作画面は、以下のような複数のボタンを表示する。」の記載のよれば、上記「表示画面」は当該「操作画面」であるものと解することができる。
　 
　したがって、上記摘記事項（１ｂ）によれば、引用文献１には、「操作キー群を含む操作画面を表示し、タッチされた操作キーを検知可能にするタブレットを備えたタッチスクリーンとして機能する表示部」が記載されているといえる。 
　 
（イ）上記摘記事項（１ｂ）の「【００２２】
  ＩＰ電話アプリケーションプログラム１２９Ａは、ＩＰ電話アプリケーションプログラム１２９Ａの起動が割り当てられた操作キー群１２内の所定の押しボタンスイッチが押下操作されたことに応答して、あるいは表示画面上に表示されるプログラムメニュー上からＩＰ電話アプリケーションプログラム１２９Ａに対応する項目が選択されることに応答して、起動される。起動されたＩＰ電話アプリケーションプログラム１２９Ａは、操作画面をグラフィクスコントローラ１２３を介してＬＣＤ１１１にＩＰ電話機能を利用するためのＧＵＩ（Graphical User Interface）として表示する。この操作画面は、以下のような複数のボタンを表示する。
【００２３】
（１）数字ボタン群：
  これら数字ボタンは、ＩＰ電話によって通信すべき通信相手先を指定する番号（電話番号）を入力するために用いられる。
【００２４】
（２）機能ボタン群：
  これら機能ボタン群は、ＩＰ電話のための付加機能および音声入出力に関する各種機能を制御するために用いられる。」の記載によれば、上記（ア）の「操作キー群」は、当該「数字ボタン群」と当該「機能ボタン群」からなるものと解することができる。
　
　したがって、上記（ア）及び上記摘記事項（１ｂ）によれば、引用文献１には、「前記操作キー群は、数字ボタン群と機能ボタン群からなる」ことが記載されているといえる。
　 
（ウ）上記摘記事項（１ｂ）の「【００２９】
  （１）操作可能プロパティ；  操作可能プロパティは、当該操作可能プロパティが割り当てられたボタングループに属する各ボタンが有効、つまり操作可能であることを示す。操作可能プロパティが割り当てられたボタングループに属する各ボタンは、ユーザが指でタッチ操作可能な比較的大きなサイズ（第１のサイズ）で操作画面上に表示される。操作可能プロパティが割り当てられたボタングループ内のあるボタンがユーザの指またペンによってタッチされた時、そのボタンに対応する機能が実行される。
【００３０】
  （２）状態表示プロパティ；  状態表示プロパティは、当該状態表示プロパティが割り当てられたボタングループに属する各ボタンの操作は無効であるが、電話の着信等を示すステータス表示機能は有効であることを示す。状態表示プロパティが割り当てられたボタングループに属する各ボタンは、省スペースを図るために、ユーザが視認可能な程度の小さいサイズ、つまり第１のサイズよりも小さい第２のサイズ、で操作画面上に表示される。状態表示プロパティが割り当てられたボタングループ内のあるボタンがユーザの指またペンによってタッチされても、そのボタンに対応する機能は、基本的には、実行されない。なお、状態表示プロパティが割り当てられたボタングループに属するすべてのボタンを必ずしも表示する必要はなく、当該ボタングループに属する幾つかの代表的なボタンのみを第２のサイズで表示してもよい。」の記載によれば、上記（ア）の「操作画面」では、上記（イ）の「数字ボタン群」と「機能ボタン群」のいずれかの当該「ボタングループに属する各ボタン」である上記（ア）の「複数の操作キー」は、当該「第１のサイズ」で「表示」され、その他の当該「ボタングループに属する各ボタン」である上記（ア）の「複数の操作キー」は、当該「第１のサイズよりも小さい第２のサイズ」で「表示」されるものと解することができる。
　
　そして、上記摘記事項（１ｂ）の「【００２５】
  ＩＰ電話アプリケーションプログラム１２９Ａは、操作画面上に表示される数字ボタン群および機能ボタン群を含む複数のボタンを、幾つかのボタングループに分割し、各ボタングループ毎にそのボタングループに対応する属性（以下、プロパティと称する）を管理する機能を有している。各ボタングループは、操作画面上に定義された、当該ボタングループに対応する表示エリアに表示される。すなわち、操作画面は、複数のボタングループそれぞれに対応する複数の表示エリアを含む。」の記載によれば、当該「表示エリア」は、上記「第２のサイズ」で上記「操作キー」が「表示」された「ボタングループ」に「対応」して表示されるものと解することができる。
　
　したがって、上記（ア）、上記（イ）及び上記摘記事項（１ｂ）によれば、引用文献１には、「前記操作画面では、数字ボタン群と機能ボタン群のいずれかのボタングループに属する複数の操作キーは、第１のサイズで表示され、その他のボタングループに属する複数の操作キーは、前記第１のサイズよりも小さい第２のサイズで表示されると共に、前記第２のサイズで操作キーが表示されたボタングループについて、当該ボタングループに対応する表示エリアが表示されている」ことが記載されているといえる。
　
（エ）上記摘記事項（１ｃ）の「【００４９】
  すなわち、ボタングループ１に対応する第１の表示エリア３０上の任意の位置に対応する表示画面上の位置がユーザによってタッチされた時、プロパティ管理モジュール２０２は、ボタングループ１とボタングループ２との間でプロパティを相互に入れ替える。具体的には、プロパティ管理モジュール２０２は、ボタングループ１のプロパティを状態表示プロパティから操作可能プロパティに切り替えるとともに、ボタングループ２のプロパティを操作可能プロパティから状態表示プロパティに切り替える。」の記載によれば、上記（ア）の「タブレット」は、当該「タッチ」された「表示エリア」の「任意の位置」を検知し、この場合、当該検知された「表示エリア」に対応する当該「ボタングループ１のプロパティを状態表示プロパティから操作可能プロパティに切り替えるとともに、ボタングループ２のプロパティを操作可能プロパティから状態表示プロパティに切り替える」ものと解することができる。
　
　そして、上記摘記事項（１ｂ）の「【００２９】
  （１）操作可能プロパティ；  操作可能プロパティは、当該操作可能プロパティが割り当てられたボタングループに属する各ボタンが有効、つまり操作可能であることを示す。操作可能プロパティが割り当てられたボタングループに属する各ボタンは、ユーザが指でタッチ操作可能な比較的大きなサイズ（第１のサイズ）で操作画面上に表示される。操作可能プロパティが割り当てられたボタングループ内のあるボタンがユーザの指またペンによってタッチされた時、そのボタンに対応する機能が実行される。
【００３０】
  （２）状態表示プロパティ；  状態表示プロパティは、当該状態表示プロパティが割り当てられたボタングループに属する各ボタンの操作は無効であるが、電話の着信等を示すステータス表示機能は有効であることを示す。状態表示プロパティが割り当てられたボタングループに属する各ボタンは、省スペースを図るために、ユーザが視認可能な程度の小さいサイズ、つまり第１のサイズよりも小さい第２のサイズ、で操作画面上に表示される。状態表示プロパティが割り当てられたボタングループ内のあるボタンがユーザの指またペンによってタッチされても、そのボタンに対応する機能は、基本的には、実行されない。なお、状態表示プロパティが割り当てられたボタングループに属するすべてのボタンを必ずしも表示する必要はなく、当該ボタングループに属する幾つかの代表的なボタンのみを第２のサイズで表示してもよい。」の記載のよれば、上記「ボタングループ１のプロパティを状態表示プロパティから操作可能プロパティに切り替えるとともに、ボタングループ２のプロパティを操作可能プロパティから状態表示プロパティに切り替える」こととは、検知された表示エリアに対応するボタングループに属する操作キーが、第１のサイズで表示されると共に、タッチされた表示エリアがタッチされる際に第１のサイズで表示されていた操作キーが、第２のサイズで表示されるように変更された操作画面を表示するものと解することができる。
　
　また、上記摘記事項（１ｄ）の「【００７８】・・・（中略）・・・同様に、ボタングループ２の現在のプロパティが状態表示プロパティである場合においても、ボタングループ２のボタン機能を有効にしてもよい。」の記載によれば、上記（ア）の「タブレット」は、当該「タッチ」された「ボタン」である上記（ア）の「操作キー」を検知した場合、当該「タッチ」された「操作キー」に対応した「ボタン機能」を実行するものと解することができる。
　
　そして、当該「操作キー」が、上記（イ）の「数字ボタン群」のボタングループに属する場合、上記「タブレット」は、当該「操作キー」に対応した数字の表示を行うものと解することができる。
　
　したがって、上記（ア）、上記（イ）、上記摘記事項（１ｂ）、上記摘記事項（１ｃ）及び上記摘記事項（１ｄ）によれば、引用文献１には、「前記タブレットは、タッチされた操作キー又は表示エリアを検知し、タッチされた操作キーを検知した場合は、タッチされた操作キーに対応した表示を行い、タッチされた表示エリアを検知した場合は、前記検知された表示エリアに対応するボタングループに属する操作キーが、前記第１のサイズで表示されると共に、前記タッチされた表示エリアがタッチされる際に前記第１のサイズで表示されていた操作キーが、前記第２のサイズで表示されるように変更された前記操作画面を表示する」ことが記載されているといえる。
　
（オ）上記摘記事項（１ａ）によれば、引用文献１には、「表示画面上のあるボタンがユーザの指またはペンによってタッチされた場合、そのタッチされたボタンに対応する機能が実行される。したがって、ユーザは、ボタンをタッチするという直感的な操作のみで、アプリケーションプログラムを利用することができる。」が記載されているといえる。
　
（引用文献１発明） 
　 
　したがって、上記（ア）乃至上記（エ）によれば、引用文献１には、次の発明（以下、「引用文献１発明」という。）が記載されているといえる。 
　 
「　操作キー群を含む操作画面を表示し、タッチされた操作キーを検知可能にするタブレットを備えたタッチスクリーンとして機能する表示部において、
　前記操作キー群は、数字ボタン群と機能ボタン群からなり、
　前記操作画面では、数字ボタン群と機能ボタン群のいずれかのボタングループに属する複数の操作キーは、第１のサイズで表示され、その他のボタングループに属する複数の操作キーは、前記第１のサイズよりも小さい第２のサイズで表示されると共に、前記第２のサイズで操作キーが表示されたボタングループについて、当該ボタングループに対応する表示エリアが表示されており、
　前記タブレットは、タッチされた操作キー又は表示エリアを検知し、タッチされた操作キーを検知した場合は、タッチされた操作キーに対応した表示を行い、タッチされた表示エリアを検知した場合は、前記検知された表示エリアに対応するボタングループに属する操作キーが、前記第１のサイズで表示されると共に、前記タッチされた表示エリアがタッチされる際に前記第１のサイズで表示されていた操作キーが、前記第２のサイズで表示されるように変更された前記操作画面を表示することを特徴とするタッチスクリーンとして機能する表示部。」 
　 
（引用文献１の記載事項） 
　 
　また、上記（オ）によれば、引用文献１には、次の記載事項（以下、「引用文献１の記載事項」という。）が記載されているといえる。 
　 
「　表示画面上のあるボタンがユーザの指またはペンによってタッチされた場合、そのタッチされたボタンに対応する機能が実行される。したがって、ユーザは、ボタンをタッチするという直感的な操作のみで、アプリケーションプログラムを利用することができる。」 
　 
（３）本願発明と引用文献１発明との対比 
　 
　本願発明と引用文献１発明とを対比する。 
　 
　引用文献１発明の「操作キー群」、「操作画面」、「表示」、「タッチ」、「操作キー」、「タブレット」、「タッチスクリーンとして機能する表示部」、「ボタングループ」、「第１サイズ」及び「第２サイズ」との事項は、本願発明の「複数の操作ボタン」、「操作画面」、「表示」、「選択」、「操作ボタン」、「操作手段」、「タッチパネル装置」、「グループ」、「第１のサイズ」及び「第２のサイズ」との事項にそれぞれ相当する。 
　
　してみると、引用文献１発明の「操作キー群を含む操作画面を表示し、タッチされた操作キーを検知可能にするタブレットを備えたタッチスクリーンとして機能する表示部」との事項は、選択された操作ボタンを検知することでこれを特定するためにタッチパネルとしての機能を用いるものといえるから、本願発明の「複数の操作ボタンを含む操作画面を表示し、選択された操作ボタンをタッチパネルを用いて特定する操作手段を備えるタッチパネル装置」との事項に相当する。
　 
　また、引用文献１発明の「前記操作キー群は、数字ボタン群と機能ボタン群からなり」との事項は、当該「数字ボタン群」や当該「機能ボタン群」といった具体的なグループごとにまとめられていることといえるから、本願発明の「前記複数の操作ボタンは、複数のグループに区分されており」との事項に相当する。 
　
　また、引用文献１発明の「前記操作画面では、数字ボタン群と機能ボタン群のいずれかのボタングループに属する複数の操作キーは、第１のサイズで表示され、その他のボタングループに属する複数の操作キーは、前記第１のサイズよりも小さい第２のサイズで表示されると共に、前記第２のサイズで操作キーが表示されたボタングループについて、当該ボタングループに対応する表示エリアが表示されており」との事項は、当該「表示エリア」がボタンサイズの変更を受け付けるエリアといえるから、本願発明の「前記操作画面では、何れかのグループに属する１又は複数の操作ボタンは、第１サイズで、その他のグループに属する１又は複数の操作ボタンは、前記第１サイズよりも小さい第２サイズで示されると共に、前記第２サイズで操作ボタンが示されたグループの各々について、ボタンサイズ変更エリアが示されており」との事項に相当する。
　 
　そして、本願発明の「前記操作手段は、選択された操作ボタンあるいは選択されたボタンサイズ変更エリアを特定し、選択された操作ボタンを特定した場合は、選択された操作ボタンに対応した動作に関する画面を表示するよう画面遷移し、選択されたボタンサイズ変更エリアを特定した場合は、前記選択されたボタンサイズ変更エリアに対応するグループに属する操作ボタンが、前記第１サイズで示されると共に、前記選択されたボタンサイズ変更エリアが選択される際に前記第１サイズで示されていた操作ボタンが、前記第２サイズで示されるように変更された前記操作画面を表示する」との事項と引用文献１発明の「前記タブレットは、タッチされた操作キー又は表示エリアを検知し、タッチされた操作キーを検知した場合は、タッチされた操作キーに対応した情報を表示し、タッチされた表示エリアを検知した場合は、前記検知された表示エリアに対応するボタングループに属する操作キーが、前記第１のサイズで表示されると共に、前記タッチされた表示エリアがタッチされる際に前記第１のサイズで表示されていた操作キーが、前記第２のサイズで表示されるように変更された前記操作画面を表示する」との事項とは、後記の点で相違するものの、当該「表示エリア」がボタンサイズの変更を受け付けるエリアといえるから、ともに、「前記操作手段は、選択された操作ボタンあるいは選択されたボタンサイズ変更エリアを特定し、選択された操作ボタンを特定した場合は、選択された操作ボタンに対応した表示を行い、選択されたボタンサイズ変更エリアを特定した場合は、前記選択されたボタンサイズ変更エリアに対応するグループに属する操作ボタンが、前記第１サイズで示されると共に、前記選択されたボタンサイズ変更エリアが選択される際に前記第１サイズで示されていた操作ボタンが、前記第２サイズで示されるように変更された前記操作画面を表示する」という点で共通する。 
　
　したがって、両者は、 
　 
（一致点） 
　 
「　複数の操作ボタンを含む操作画面を表示し、選択された操作ボタンをタッチパネルを用いて特定する操作手段を備えるタッチパネル装置において、
　前記複数の操作ボタンは、複数のグループに区分されており、
　前記操作画面では、何れかのグループに属する１又は複数の操作ボタンは、第１サイズで、その他のグループに属する１又は複数の操作ボタンは、前記第１サイズよりも小さい第２サイズで示されると共に、前記第２サイズで操作ボタンが示されたグループの各々について、ボタンサイズ変更エリアが示されており、
　前記操作手段は、選択された操作ボタンあるいは選択されたボタンサイズ変更エリアを特定し、選択された操作ボタンを特定した場合は、選択された操作ボタンに対応した表示を行い、選択されたボタンサイズ変更エリアを特定した場合は、前記選択されたボタンサイズ変更エリアに対応するグループに属する操作ボタンが、前記第１サイズで示されると共に、前記選択されたボタンサイズ変更エリアが選択される際に前記第１サイズで示されていた操作ボタンが、前記第２サイズで示されるように変更された前記操作画面を表示することを特徴とするタッチパネル装置。」 
　 
である点で一致し、以下の点で相違する。 
　 
（相違点１） 
　 
　本願発明は、操作ボタンに対応した動作に関する画面を表示するよう画面遷移するのに対し、 
　 
　引用文献１発明は、そのような構成でない点。 
　
（４）相違点についての判断 
　 
（相違点１について） 
　 
　引用文献１には、「表示画面上のあるボタンがユーザの指またはペンによってタッチされた場合、そのタッチされたボタンに対応する機能が実行される。したがって、ユーザは、ボタンをタッチするという直感的な操作のみで、アプリケーションプログラムを利用することができる。」との記載事項がみられる。 
　 
　してみると、引用文献１発明において、上記引用文献１の記載事項を適用し、ボタンをタッチするという直感的な操作のみで、アプリケーションプログラムを利用するという課題解決のために、操作ボタンに対応する機能を実行するよう構成すること、すなわち、操作ボタンに対応した動作を実行するよう構成することは、当業者であれば適宜になし得るものである。
　
　その際、例えば、原査定において提示した特開２００４−２１０２１６号公報（例えば、【図２】、【図４】、【図６】及びその関連箇所等を参照のこと。）及び特開２００３−２７１３１０号公報（例えば、段落【００３６】、段落【００７６】乃至段落【００８４】、【図３】、【図１１】乃至【図１３】及びその関連箇所等を参照のこと。）等にみられるように、選択された操作ボタンに対応した動作に関する画像を表示するよう画面遷移させることは、周知技術であるから、操作ボタンに対応した動作を実行するよう構成する具体化手段として、操作ボタンに対応した動作に関する画面を表示するよう画面遷移するよう構成することは、当業者であれば適宜になし得る設計的事項にすぎないものである。
　 
　そして、本願発明の作用効果も、引用文献１及び周知技術から当業者が予測できる範囲のものである。 
　 
（５）結論 
　 
　よって、本願発明は、引用文献１発明、引用文献１の記載事項及び周知技術に基づいて、当業者が容易に発明をすることができたものであるから、特許法第２９条第２項の規定により特許を受けることができないものである。 
　 
３．むすび 
　 
　上記のとおり、本願の請求項１に係る発明は、引用文献１発明、引用文献１の記載事項及び周知技術に基づいて、当業者が容易に発明をすることができたものであるから、特許法第２９条第２項の規定により特許を受けることができないため、本願の他の請求項に係る発明について検討するまでもなく、本願は拒絶すべきものである。 
　 
　よって，結論のとおり審決する。